(57)【要約】【課題】タンク２の清掃性を向上させるとともにタンク２が固定される空間を犠牲にすることなくデザイン性が低下することを抑制できる水石けん供給装置１を提供する。【解決手段】水石けんを吐出する吐出口を有する水石けん供給装置であって、吐出口から吐出する水石けんを貯留するタンクと、タンク内部の水石けんを吐出口に導く流路と、タンクを被取付壁面に固定する固定金具と、を備え、タンクは、前記タンクの外方側に向かって突出する凸部を有し、固定金具は、上方プレート部と、下方プレート部と、上方プレート部と下方プレート部とをつなぐ中間プレート部を有し、上方プレート部は、タンクを仮固定する仮固定部を有し、下方プレート部は、凸部が挿入される挿入穴を有し、タンクは、凸部が挿入穴に挿入されることで固定される。【選択図】図４
2019058426.tif 000002
【特許請求の範囲】
【請求項１】
水石けんを吐出する吐出口を有する水石けん供給装置であって、
前記吐出口から吐出する水石けんを貯留するタンクと、
前記タンク内部の水石けんを前記吐出口に導く流路と、
前記タンクを被取付壁面に固定する固定金具と、を備え、
前記タンクは、前記タンクの外方側に向かって突出する凸部を有し、
前記固定金具は、上方プレート部と、下方プレート部と、前記上方プレート部と前記下方プレート部とをつなぐ中間プレート部を有し、
前記上方プレート部は、前記タンクを仮固定する仮固定部を有し、
前記下方プレート部は、前記凸部が挿入される挿入穴を有し、
前記タンクは、前記凸部が前記挿入穴に挿入されることで固定される
ことを特徴とする水石けん供給装置。
【請求項２】
前記凸部は、前記凸部を連通する連通穴を有し、
前記凸部が前記挿入穴に挿入された状態において、前記連通穴に連通させる盗難防止部材を有する
ことを特徴とする請求項１に記載の水石けん供給装置。
【請求項３】
前記凸部は、前記仮固定部の重量方向の軸と異なる位置に設けられる
ことを特徴とする請求項１に記載の水石けん供給装置。
【請求項４】
前記タンクは、複数の前記凸部を有し、
前記下方プレート部は、複数の前記挿入穴を有し、
前記盗難防止部材は、前記凸部が前記挿入穴に挿入された状態において、複数の前記連通穴をつなぐように設けられる
ことを特徴とする請求項２に記載の水石けん供給装置。
【発明の詳細な説明】
【技術分野】
【０００１】
本発明は、吐出口から水石けんを吐出する水石けん供給装置に関する。
【背景技術】
【０００２】
従来から洗面器やカウンターに水石けんを貯留するタンクを配置し、タンク内に貯留された水石けんを使用者の押圧操作によって水石けんを吐出口から吐出する水石けん供給装置や、使用者の手等を検知し自動で水石けんを吐出口から吐出するものが知られている（特許文献１）。
【先行技術文献】
【特許文献】
【０００３】
【特許文献１】特開２０１２−１２０９７１号公報
【発明の概要】
【発明が解決しようとする課題】
【０００４】
上記特許文献１に記載された、水石けん供給装置は、タンクを洗面器やカウンター下の壁面にビス固定されており、タンク内部の清掃時には、清掃の度にビスを取り外さなければならず、清掃性が悪い。さらに、タンクをビス固定する場合は、タンクの外部にビスが露出することになり、デザイン性が低下するとともに、カウンター下の限られたスペースにおいてタンクをビス固定するためのスペースが必要となってしまう。
【０００５】
本発明はこのような課題に鑑みてなされたものであり、その目的は、タンクの清掃性を向上させるとともにタンクが固定される空間を犠牲にすることなくデザイン性が低下することを抑制できる水石けん供給装置を提供することにある。
【課題を解決するための手段】
【０００６】
上記課題を解決するために、本発明に係る水石けん供給装置は、水石けんを吐出する吐出口を有する水石けん供給装置であって、前記吐出口から吐出する水石けんを貯留するタンクと、前記タンク内部の水石けんを前記吐出口に導く流路と、前記タンクを被取付壁面に固定する固定金具と、を備え、前記タンクは、前記タンクの外方側に向かって突出する凸部を有し、前記固定金具は、上方プレート部と、下方プレート部と、前記上方プレート部と前記下方プレート部とをつなぐ中間プレート部を有し、前記上方プレート部は、前記タンクを仮固定する仮固定部を有し、前記下方プレート部は、前記凸部が挿入される挿入穴を有し、前記タンクは、前記凸部が前記挿入穴に挿入されることで固定されることを特徴とする。
【０００７】
第一の発明の水石けん供給装置は、タンクを固定金具に固定する際に、上方プレート部の仮固定部に仮固定し、下方プレート部に設けられる挿入穴に凸部を挿入することでタンクを固定金具に固定することができる。このようにタンクを固定金具に固定させることで、タンクを固定金具に固定させる際に固定用のビス等が不要となり、タンクの清掃の度にビス等を取り外す手間が省け清掃性を向上させることができる。また、タンクを固定金具に固定させる際にビス等を必要としないため、ビスが露出することや、ビスによってタンクを設置するスペースが小さくなることが無く、デザイン性やタンクの設置自由度が低下することを抑制することができる。
【０００８】
第二の発明の水石けん供給装置は、前記凸部は、前記凸部を連通する連通穴を有し、前記凸部が前記挿入穴に挿入された状態において、前記連通穴に連通させる盗難防止部材を有することを特徴とする。
【０００９】
第二の発明の構成とすることで、凸部が挿入穴に挿入された状態において、連通穴に盗難防止部材を連通させることで、タンクを取り外そうとした際に盗難防止部材が下方プレート部に干渉し、タンクが盗難されることを抑制できる。
【００１０】
第三の発明の水石けん供給装置は、前記凸部は、前記仮固定部の重量方向の軸と異なる位置に設けられることを特徴とする。
【００１１】
凸部が仮固定部の重力方向の軸の同軸状に設けてしまうと仮固定部の軸を中心に回転してしまうが、第三の発明の構成のように、凸部を仮固定部の重力方向の軸と異なる位置に設けることで、タンクが回転してしまうことを防止できる。
【００１２】
第四の発明の水石けん供給装置は、前記タンクは、複数の前記凸部を有し、前記下方プレート部は、複数の前記挿入穴を有し、前記盗難防止部材は、前記凸部が前記挿入穴に挿入された状態において、複数の前記連通穴をつなぐように設けられることを特徴とする。
【００１３】
連通穴に盗難防止部材を連通させた状態において、盗難防止部材を比較的長い部材で構成すると、盗難防止部材が下方プレート部の下方にぶら下がり、デザイン性が低下してしまうが、第四の発明の構成のように、連通穴を有する複数の凸部と複数の挿入穴を設け、複数の連通穴をつなぐように盗難防止部材を設けることで盗難防止部材が下方プレート部の下方にぶら下がることがなく、デザイン性が低下してしまうことを抑制できる。
【発明の効果】
【００１４】
本発明によれば、タンクの清掃性を向上させるとともにタンクが固定される空間を犠牲にすることなくデザイン性が低下することを抑制できる水石けん供給装置を提供することができる。
【図面の簡単な説明】
【００１５】
【図１】本発明の実施形態にかかる吐水装置の模式図である。
【図２】本発明の実施形態にかかる吐水装置の概略構成図である。
【図３】本発明の実施形態にかかる吐水装置の断面図である。
【図４】本発明の実施形態にかかる吐水装置の制御フローチャートである。
【発明を実施するための形態】
【００１６】
以下、添付図面を参照しながら本発明の実施の形態について説明する。説明の理解を容易にするため、各図面において同一の構成要素に対しては可能な限り同一の符合を付して、重複する説明は省略する。なお、以下に示す実施の形態によりこの発明が限定されるものではない。
【００１７】
この水石けん供給装置について図１を参照しながら説明する。図１は、本発明の実施形態にかかる水石けん供給装置１の模式図である。
【００１８】
図１に示すように、洗面台６には、水石けん供給装置１と、水栓７が備えられている。水石けん供給装置１は、タンク２と、流路３と、吐出部４と、固定金具５とから構成されている。
【００１９】
タンク２は、水石けんを収容するための容器であり、洗面台６の下方に設けられ、固定金具５によって被取付壁面に固定される。
【００２０】
吐出部４は、タンク２に収容された水石けんを吐出させるものである。タンク２と吐出部４は流路３によって連通されており、タンク２の水石けんは、流路３を介して吐出部４に供給される。図示しないが、吐出部４には、タンク２に収容されている水石けんを吐出部４に吸い上げるポンプが内蔵されている。
【００２１】
次に図２を参照して水石けん供給装置１のタンク２の固定方法について説明する。図２は、本発明の実施形態にかかる水石けん供給装置１のタンク２と固定金具５の分解図である。
【００２２】
図２に示すように、タンク２は、タンク２の出口であるタンク出口２１と、タンク２に水石けんを補給するための補給口２４と、タンク２の底面２５から下方に突出する複数の凸部２６を有する。凸部２６は、凸部２６を貫通する連通穴２７が形成されている。タンク出口２１は、円筒状に形成され、径の異なる、大径部２２と小径部２３とを有する。
【００２３】
固定金具５は、タンク２を被取付壁面（図示しない）に固定するための金具であり、上方プレート部６１と、下方プレート部６２と、上方プレート部６１と下方プレート部６２とをつなぐ中間プレート部６３によって構成され、コの字状に形成されている。
【００２４】
中間プレート部６３には、開口６４が設けられており、ビス１００が開口６４に挿通されることで、固定金具５が被取付壁面（図示しない）に固定される。
下方プレート部６２は、タンク２の凸部２６が挿入される挿入穴６５が形成されている。詳細は後述するが、凸部２６が挿入穴６５に挿入された状態において、連通穴２７に連通させる盗難防止部材２００が設けられる。
【００２５】
次に図３を参照して、固定金具５について説明する。図３は、本発明の実施形態にかかる水石けん供給装置１の固定金具５の斜視図である。
【００２６】
図３に示すように、固定金具５は、コの字形状に形成され、上方プレート部６１と下方プレート部６２と中間プレート部６３とから構成される。中間プレート部６３に設けられる開口６４は、中間プレート部６３の上方側と下方側とに２つ設けられる。下方側に設けられる開口６４は、長孔形状に形成されており、固定金具５を被取付壁面（図示しない）に固定する際に微調整できるように構成されている。
【００２７】
下方プレート部６２には、タンク２の凸部２６が挿入される挿入穴６５を中間プレート部６３に近い位置に挿入穴６５を一つ設け、中間プレート部６３から遠い位置に挿入穴６５を一つ設け、計２つの挿入穴６５を有する。挿入穴６５は、タンク２の凸部２６の製造時のバラつきを吸収するために長穴形状に形成されている。
【００２８】
上方プレート部６１は、タンク２を仮固定するための仮固定部６６を有する。仮固定部６６は略円形に形成され、幅が広い幅広部６７と幅が狭い幅狭部６８とから構成されている。
【００２９】
次に図２と図３を参照してタンク２と固定金具５との仮固定について説明する。
仮固定部６６の幅狭部６８に対して幅狭部６８よりも小さく形成されているタンク２の小径部２３を挿入する。その後、小径部２３が幅広部６７に到達すると、タンク２を下方に移動させる。タンク２を下方に移動させることで、幅広部６７の内部に大径部２２が移動する。タンク２の大径部２２は、固定金具５の幅狭部６８よりも大きく形成されている。このように大径部２２が幅狭部６８より大きく形成されているため、タンク２が中間プレート部６３から離れるような移動を規制することができ、タンク２を固定金具５に仮固定することができる。
【００３０】
次に図４を参照してタンク２が固定金具５に固定された状態について説明する。図４（a）は、本発明の実施形態にかかる水石けん供給装置１のタンク２が固定金具５に固定され、盗難防止部材２００が装着される前の状態を示す側面図である。図４（ｂ）は、本発明の実施形態にかかる水石けん供給装置１のタンク２が固定金具５に固定され、盗難防止部材２００が装着された状態を示す側面図である。
【００３１】
図４（a）および図４（ｂ）に示すように、仮固定部６６の重力方向の軸を軸Ａとし、中間プレート部６３から遠い位置に設けられる凸部２６の重力方向の軸を軸Ｂ１とし、中間プレート部６３から近い位置に設けられる凸部２６の重力方向の軸を軸Ｂ２とする。凸部２６は、仮固定部６６の軸Ａに対して、凸部２６の軸Ｂ１とＢ２がずれた位置となるように設けられる。このように凸部２６を配置することで、仮固定部６６とタンク出口２１によって仮固定され、前後方向の移動の規制に加え、前後方向と直交する方向への回転すなわち仮固定部６６の軸Ａを中心とする回転を規制することができ、タンク２を固定金具５に固定することができる。
【００３２】
タンク２の凸部２６を挿入穴６５に挿入した状態において、タンク２を側方から見ると、連通穴２７が下方プレート部６２の下方に位置する。下方プレート部６２の下方に位置する２つの連通穴２７をつなぐように盗難防止部材２００を設ける。盗難防止部材２００を設けることでタンク２を上方側に移動させようとした場合、盗難防止部材２００と下方プレート部６２が干渉し、タンク２を上方側に移動させることができず、タンク２を盗難されてしまうことを抑制できる。なお、盗難防止部材２００は、ボールチェーンで構成され、ボールチェーンが外れないようにボールチェーン自体にロック機構を設けてもよいし、ボールチェーンの一端と他端に輪を設け、一端と他端の輪を重ね、南京錠等でロックしてもよい。
【００３３】
上述したように、タンク２を固定金具５に固定する際に、上方プレート部６１の仮固定部６６に仮固定し、下方プレート部６２に設けられる挿入穴６５に凸部２６を挿入することでタンク２を固定金具５に固定することができる。このようにタンク２を固定金具５に固定させることで、タンク２を固定金具５に固定させる際に固定用のビス等が不要となり、タンク２の清掃の度にビス等を取り外す手間が省け清掃性を向上させることができる。また、タンク２を固定金具５に固定させる際にビス等を必要としないため、ビスが露出することや、ビスによってタンク２を設置するスペースが小さくなることが無く、デザイン性やタンク２の設置自由度が低下することを抑制することができる。
【００３４】
また、凸部２６が挿入穴６５に挿入された状態において、連通穴２７に盗難防止部材２００を連通させることで、タンク２を取り外そうとした際に盗難防止部材２００が下方プレート部６２に干渉し、タンク２が盗難されることを抑制できる。
【００３５】
また、凸部２６が仮固定部６６の重力方向の軸Ａの同軸状に設けてしまうと仮固定部６６の軸Ａを中心に回転してしまうが、凸部２６を仮固定部６６の重力方向の軸Ａと異なる位置に設けることで、タンク２が回転してしまうことを防止できる。
【００３６】
さらに、連通穴２７に盗難防止部材２００を連通させた状態において、盗難防止部材２００を比較的長い部材で構成すると、盗難防止部材２００が下方プレート部６２の下方にぶら下がり、デザイン性が低下してしまうが、連通穴２７を有する複数の凸部２６と複数の挿入穴６５を設け、複数の連通穴２７をつなぐように盗難防止部材２００を設けることで盗難防止部材２００が下方プレート部６２の下方にぶら下がることがなく、デザイン性が低下してしまうことを抑制できる。
【００３７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００３８】
１    水石けん供給装置
２    タンク
３    流路
４    吐出部
５    固定金具
６    洗面台
７    水栓
２１  タンク出口
２２  大径部
２３  小径部
２４  補給口
２５  底面
２６  凸部
２７  連通穴
６１  上方プレート部
６２  下方プレート部
６３  中間プレート部
６４  開口
６５  挿入穴
６６  仮固定部
６７  幅広部
６８  幅狭部
１００  ビス
２００  盗難防止部材
Ａ    軸
Ｂ１  軸
Ｂ２  軸
【図１】
2019058426.tif 000003
【図２】
2019058426.tif 000004
【図３】
2019058426.tif 000005
【図４】
2019058426.tif 000006